(57)【要約】【課題】冷房運転時の冷房性能の低下を抑制した空気調和装置を提供する。【解決手段】室内ユニット３の一端が液管８から分岐した液分岐管２９に接続され、他端が高圧ガス管６から分岐した高圧側ガス分岐管２７または低圧ガス管７から分岐した低圧側ガス分岐管２８に接続され、前記高圧側ガス分岐管２７に高圧ガス管電磁弁２４が接続され、一端が前記高圧ガス管電磁弁２４の上流に接続され、他端が前記液分岐管２９に接続されたバイパス手段２１を設け、前記バイパス手段２１は流量調整手段２３を備え、前記流量調整手段２３の上流の前記バイパス手段２１と、前記高圧側ガス分岐管２７および前記低圧側ガス分岐管２８に分岐するように接続された配管３５との間に、内部熱交換手段２２を設けた。【選択図】図１
2018071791.tif 000002
【特許請求の範囲】
【請求項１】
圧縮機、熱源側熱交換器、減圧装置を有する室外ユニットと、利用側熱交換器を有する複数台の室内ユニットとを有し、前記室外ユニットと前記室内ユニットとが高圧ガス管、低圧ガス管、液管で構成されるユニット間配管でつながれ、複数台の前記室内ユニットを同時に冷房運転もしくは暖房運転可能とし、または、これらの暖房運転と冷房運転を混在して実施可能とする空気調和装置において、
前記室内ユニットの一端が前記液管から分岐した液分岐管に接続され、
他端が前記高圧ガス管から分岐した高圧側ガス分岐管または前記低圧ガス管から分岐した低圧側ガス分岐管に接続され、
前記高圧側ガス分岐管に高圧ガス管電磁弁が接続され、
一端が前記高圧ガス管電磁弁の上流に接続され、他端が前記液分岐管に接続されたバイパス手段を設け、
前記バイパス手段は流量調整手段を備え、
前記流量調整手段の上流の前記バイパス手段と、前記高圧側ガス分岐管および前記低圧側ガス分岐管に分岐するように接続された配管との間に、内部熱交換手段を設けたことを特徴とする空気調和装置。
【請求項２】
複数台の前記室内ユニットは、それぞれ高圧ガス管電磁弁と、バランス管電磁弁と、低圧ガス管電磁弁とを備える電磁弁キットを介して前記ユニット間配管に接続され、前記電磁弁キットに前記内部熱交換手段が配置されていることを特徴とする請求項１に記載の空気調和装置。
【請求項３】
前記内部熱交換手段は内管と外管とを二重管で構成した二重管式熱交換器で形成され、前記内管には、前記利用側熱交換器と、前記高圧側ガス分岐管および前記低圧ガス分岐管に分岐するように接続された配管とをつなぐ配管が接続され、前記外管には前記バイパス手段が接続されていることを特徴とする請求項１又は請求項２に記載の空気調和装置。
【発明の詳細な説明】
【技術分野】
【０００１】
本発明は、室外ユニットと複数台の室内ユニットを有し、複数台の室内ユニットを同時に冷房運転もしくは暖房運転可能とし、または、暖房運転と冷房運転を混在して実施可能とする空気調和装置に関する。
【背景技術】
【０００２】
従来、室外ユニットと複数台の室内ユニットを有し、複数台の室内ユニットを同時に冷房運転もしくは暖房運転可能とし、または、暖房運転と冷房運転を混在して実施可能とする空気調和装置では、圧縮機および室外熱交換器を備えた室外ユニットと、室内熱交換器を備えた複数台の室内ユニットとがユニット間配管により接続された空気調和装置が知られている。この空気調和装置では、室内熱交換器の一端が、圧縮機の冷媒吐出管と冷媒吸込管とに択一に分岐して接続され、ユニット間配管が上記冷媒吐出管に接続された高圧ガス管と、上記冷媒吸込管に接続された低圧ガス管と、上記室外熱交換器の他端に接続された液管とを有して構成されている。
上記構成によると、暖房運転と冷房運転を混在して運転する場合、高圧ガス管と低圧ガス管と液管の三本の冷媒管すべてが使用され、冷房運転のみが実行される場合、高圧ガス管は使用されず、低圧ガス管と液管の二本の冷媒管が使用される。
また、暖房運転のみが実行される場合、低圧ガス管は使用されず、高圧ガス管と液管の二本の冷媒管が使用される。
従来の構成では、冷房運転のみが実行される場合、高圧ガス管は使用されないが、この高圧ガス管は圧縮機吐出と連通しているため、高圧のまま外気温度により冷却され、高圧ガス管内で冷媒が凝縮して液状態で溜る（寝込む）ことになり、その分だけシステム内の冷媒量が不足し、ガス欠の症状を呈するという問題があった。
これらの課題を解決するため、高圧ガス管と液管とを連通させるバイパス手段を設け、冷房運転時に室外膨張弁の開度を絞ることにより、高圧ガス管内に寝込んだ液冷媒を液管内に取り込むことで、冷媒の寝込みを防止することができる空気調和装置が提案されている（例えば、特許文献１参照）。
【先行技術文献】
【特許文献】
【０００３】
【特許文献１】特開２００１−３３６８５８号公報
【発明の概要】
【発明が解決しようとする課題】
【０００４】
しかしながら、上述した従来の技術では、冷房運転においては室外膨張弁の開度によって高圧ガス管内に寝込んだ液冷媒は液管内に取り込まれることになり、圧縮機から吐出した冷媒の一部は、室外ユニットの熱交換器をバイパスした後、室外ユニットの熱交換器で放熱した冷媒と合流することになるため、過冷却度が減少してしまい、冷房性能が低下するという課題があった。
本発明は、上記課題を解決するものであり、冷房運転時の冷房性能の低下を抑制した空気調和装置を提供することを目的とする。
【課題を解決するための手段】
【０００５】
上記課題を解決するために、本発明の空気調和装置は、圧縮機、熱源側熱交換器、減圧装置を有する室外ユニットと、利用側熱交換器を有する複数台の室内ユニットとを有し、前記室外ユニットと前記室内ユニットとが高圧ガス管、低圧ガス管、液管で構成されるユニット間配管でつながれ、複数台の前記室内ユニットを同時に冷房運転もしくは暖房運転可能とし、または、これらの暖房運転と冷房運転を混在して実施可能とする空気調和装置において、前記室内ユニットの一端が前記液管から分岐した液分岐管に接続され、他端が前記高圧ガス管から分岐した高圧側ガス分岐管または前記低圧ガス管から分岐した低圧側ガス分岐管に接続され、前記高圧側ガス分岐管に高圧ガス管電磁弁が接続され、一端が前記高圧ガス管電磁弁の上流に接続され、他端が前記液分岐管に接続されたバイパス手段を設け、前記バイパス手段は流量調整手段を備え、前記流量調整手段の上流の前記バイパス手段と、前記高圧側ガス分岐管および前記低圧側ガス分岐管に分岐するように接続された配管との間に、内部熱交換手段を設けたことを特徴とする。
本発明によれば、室内ユニットを全て冷房運転させる場合、未使用となる高圧ガス管の高温高圧の冷媒を室内ユニット出口の低温低圧の冷媒と熱交換させてから流量調整手段を通過して液管に流入させるため、液管に合流する冷媒の過冷却度を大きくすることができる。そのため、凝縮器出口の過冷却度が増加するため、冷房能力の低下を抑制することが可能となる。また、室内ユニットに近い位置で過冷却度が所定の値となるように制御されるため、室外ユニットで過冷却度が所定の値となるように制御されるよりも外部の影響が小さくなるため、安定して冷房能力を確保することが可能となる。
【０００６】
また、本発明は、複数台の前記室内ユニットは、それぞれ高圧ガス管電磁弁と、バランス管電磁弁と、低圧ガス管電磁弁とを備える電磁弁キットを介して前記ユニット間配管に接続され、前記電磁弁キットに前記内部熱交換手段が配置されていることを特徴とする。
【０００７】
また、本発明は、前記内部熱交換手段は内管と外管とを二重管で構成した二重管式熱交換器で形成され、前記内管には前記利用側熱交換器および前記低圧ガス管をつなぐ配管が接続され、外管には前記バイパス手段が接続されていることを特徴とする。
【発明の効果】
【０００８】
本発明の空気調和装置では、冷房運転時に高圧ガス管内に寝込んだ液冷媒を液管内に取り込むことで、冷媒の寝込みを防止することに加え、冷房運転時に高圧ガス管から液管に取り込まれる冷媒の温度を低下させることが可能となり、合流して室内ユニットに流入する冷媒の過冷却度が小さくなることを抑制することで、冷房性能の低下を減少させることができる。また、電磁弁キットに内部熱交換手段を配置し、室内ユニットに近い位置で過冷却度が所定の値となるように制御することにより、室外ユニットで過冷却度が所定の値となるように制御するよりも、例えば室外ユニットと室内ユニットの接続配管において外部環境への放熱や受熱など、外部環境の熱影響が小さくなるため、安定して冷房能力を確保することが可能となる。
【図面の簡単な説明】
【０００９】
【図１】本発明の実施形態に係る冷房運転時の空気調和装置の冷媒回路図である。
【図２】本発明の実施形態に係る暖房運転時の空気調和装置の冷媒回路図である。
【図３】本発明の実施形態に係る室外熱交換器を凝縮器として利用した場合の冷暖同時運転時の空気調和装置の冷媒回路図である。
【発明を実施するための形態】
【００１０】
以下、本発明の実施の形態について、図面を参照しながら説明する。なお、この実施形態によって、本発明が限定されるものではない。
図１は、本発明の実施形態に係る空気調和装置１の冷媒回路図である。
この空気調和装置１は、室外ユニット２と、複数の室内ユニット３ａ、３ｂ、３ｃと、室外ユニット２および室内ユニット３ａ〜３ｃの間に設けられる電磁弁キット４ａ、４ｂ、４ｃと、を備えている。
これらの室外ユニット２と電磁弁キット４ａ〜４ｃと室内ユニット３ａ〜３ｃとがユニット間配管５により接続されて、空気調和装置１は、室内ユニット３ａ〜３ｃを同時に冷房運転もしくは暖房運転可能とし、または、これらの冷房運転と暖房運転とを混在して実施可能とする。ユニット間配管５は、高圧ガス管６と、低圧ガス管７と、液管８とを備えている。
【００１１】
室外ユニット２は、圧縮機１１と、圧縮機１１から吐出された冷媒に含まれる冷凍機油を分離して圧縮機へ戻すオイルセパレータ１２と、冷房運転、暖房運転、冷房運転と暖房運転の混在運転の運転状態により冷媒回路を切り替える四方弁１３と、図示しない送風機により室外に放熱・吸熱するための室外熱交換器（熱源側熱交換器）１４と、室外膨張弁１５とを備えている。
【００１２】
電磁弁キット４ａ〜４ｃは、バイパス手段２１ａ、２１ｂ、２１ｃと、内部熱交換手段２２ａ、２２ｂ、２２ｃと、流量調整手段２３ａ、２３ｂ、２３ｃと、高圧ガス管電磁弁２４ａ、２４ｂ、２４ｃと、バランス管電磁弁２５ａ、２５ｂ、２５ｃと、低圧ガス管電磁弁２６ａ、２６ｂ、２６ｃとを備えている。
バイパス手段２１ａ〜２１ｃは、高圧ガス管６と液管８の圧力差によって高圧ガス管６から液管８に冷媒を流す。内部熱交換手段２２ａ〜２２ｃは、高圧ガス管６の冷媒と室内ユニット３ａ〜３ｃの室内熱交換器３１ａ、３１ｂ、３１ｃを通過した冷媒とで熱交換を行う。流量調整手段２３ａ〜２３ｃは、バイパス手段２１ａ〜２１ｃを流れる冷媒量を調整する。高圧ガス管電磁弁２４ａ〜２４ｃと、バランス管電磁弁２５ａ〜２５ｃと、低圧ガス管電磁弁２６ａ〜２６ｃとは、室外ユニットからの信号を受け開閉が制御される。
【００１３】
室内ユニット３ａ〜３ｃは、図示しない送風機により室内を暖房・冷房するための室内熱交換器（利用側熱交換器）３１ａ〜３１ｃと、室内膨張弁３２ａ、３２ｂ、３２ｃとを備えている。
【００１４】
圧縮機１１の吐出管１６は、オイルセパレータ１２を介して高圧ガス管６に接続されている。この高圧ガス管６は、室外ユニット２内で開閉弁１７に接続されている。高圧ガス管６は、開閉弁１７および四方弁１３を介して室外熱交換器１４の一端に接続されている。室外熱交換器１４の他端には、室外膨張弁１５を介して液管８が接続されている。
液管８には、液分岐管２９ａ、２９ｂ、２９ｃが接続され、液分岐管２９ａ〜２９ｃは、室内熱交換器３１ａ〜３１ｃの一端に接続されている。室内熱交換器３１ａ〜３１ｃの他端には、配管３５ａ、３５ｂ、３５ｃが接続され、この配管３５ａ〜３５ｃは、内部熱交換手段２２ａ〜２２ｃを介して、高圧側ガス分岐管２７ａ、２７ｂ、２７ｃと低圧側ガス分岐管２８ａ、２８ｂ、２８ｃとに分岐するように接続されている。高圧側ガス分岐管２７ａ〜２７ｃは、高圧ガス管６に接続され、低圧側ガス分岐管２８ａ〜２８ｃは、低圧ガス管７に接続されている。
【００１５】
高圧側ガス分岐管２７ａ〜２７ｃには、高圧ガス管電磁弁２４ａ〜２４ｃが設けられている。
高圧側ガス分岐管２７ａ〜２７ｃには、高圧側ガス分岐管２７ａ〜２７ｃが高圧ガス管６に接続される高圧ガス管分岐点９ａ、９ｂ、９ｃと、高圧ガス管電磁弁２４ａ〜２４ｃとの間に、バイパス手段２１ａ〜２１ｃの一端が接続されている。
このバイパス手段２１ａ〜２１ｃの他端は、内部熱交換手段２２ａ〜２２ｃを通り、流量調整手段２３ａ〜２３ｃを介して、液分岐管２９ａ〜２９ｃに接続されている。
【００１６】
この内部熱交換手段２２ａ〜２２ｃは、冷房運転時に、バイパス手段２１ａ〜２１ｃを流れる液冷媒を過冷却することにより、室内ユニット３ａ〜３ｃでの冷房能力を向上させるものである。具体的には、内部熱交換手段２２は内管と外管とを二重管で構成した、いわゆる二重管式熱交換器で形成されており、この内管には配管３５ａ〜３５ｃが接続され、外管には上記バイパス手段２１ａ〜２１ｃが接続されている。
【００１７】
高圧側ガス分岐管２７ａ〜２７ｃは、高圧ガス管６に接続され、低圧側ガス分岐管２８ａ〜２８ｃは、低圧ガス管７に接続されている。
低圧側ガス分岐管２８ａ〜２８ｃには、低圧ガス管電磁弁２６ａ〜２６ｃが配設されている。
【００１８】
室外膨張弁１５には制御手段が接続されている。この制御手段は、室内ユニット３ａ〜３ｃのすべてが冷房運転を行っている時に、液分岐管２９ａ〜２９ｃ内の圧力を低下させるために、室外膨張弁１５の開度を絞る制御を実行している。
【００１９】
次に、室内ユニット３ａ〜３ｃの全てを冷房運転する場合について説明する。
室内ユニット３ａ〜３ｃの全てを冷房運転する場合には、図１に示す四方弁１３は実線で示す位置に切り替えられる。開閉弁１７は開かれる。高圧ガス管電磁弁２４ａ〜２４ｃは閉じられる。
圧縮機１１から吐出された高温高圧のガス冷媒はオイルセパレータ１２により冷凍機油が分離された後、開閉弁１７、四方弁１３を通過し室外熱交換器１４へと流入する。
室外熱交換器１４により外気に放熱して凝縮した高圧液冷媒は室外膨張弁１５を通過した後、室外ユニット２と室内ユニット３ａ〜３ｃとを接続する液管８へと導かれる。このとき、室外膨張弁１５は室外熱交換器１４出口の冷媒の過冷却度が所定の値となるように制御される。
【００２０】
液管８を流れる高圧液冷媒は、室外ユニット２と室内ユニット３ａ〜３ｃとの間に設置された電磁弁キット４ａ〜４ｃに流入する。このとき、高圧ガス管電磁弁２４ａ〜２４ｃは閉状態となっている。流量調整手段２３ａ〜２３ｃは弁開度が開調整されている。そのため、高圧ガス管６を流れる冷媒は、バイパス手段２１ａ〜２１ｃに導かれ、内部熱交換手段２２ａ〜２２ｃを通過する。このとき、バイパス手段２１ａ〜２１ｃを流れる冷媒は、室内ユニット３ａ〜３ｃから配管３５ａ〜３５ｃに導かれ内部熱交換手段２２ａ〜２２ｃを通過する冷媒と、熱交換を行う。
【００２１】
内部熱交換手段２２ａ〜２２ｃを通過したバイパス手段２１ａ〜２１ｃを流れる冷媒は、流量調整手段２３ａ〜２３ｃを通過した後、液管８を流れる冷媒と合流する。
このとき、流量調整手段２３ａ〜２３ｃの弁開度は合流後の冷媒の過冷却度が所定の値となるように制御される。
この場合、内部熱交換手段２２ａ〜２２ｃは、室内ユニット３ａ〜３ｃの近くに配置することが望ましい。この実施形態では、内部熱交換手段２２ａ〜２２ｃは、電磁弁キット４ａ〜４ｃに配置され、この電磁弁キット４ａ〜４ｃは、室内ユニット３ａ〜３ｃの近くに配置されている。
また、空気調和装置１の起動直後やオイル回収運転を実施した直後や直前まで暖房運転をしていた場合など、高圧ガス管６の冷媒の寝込みが少ない状況では、室外ユニット２からの信号を受け流量調整手段２３ａ〜２３ｃは全閉となり、バイパス手段２１ａ〜２１ｃに冷媒が流れないよう制御される。
【００２２】
電磁弁キット４ａ〜４ｃを通過した冷媒は、室内ユニット３ａ〜３ｃに導かれ、室内膨張弁３２ａ〜３２ｃにより低圧低温の気液二相となった冷媒は室内熱交換器３１ａ〜３１ｃで蒸発することにより室内を冷房する。
室内熱交換器３１ａ〜３１ｃにより低圧ガス状態となった冷媒は、電磁弁キット４ａ〜４ｃに流入する。このとき、バランス管電磁弁２５ａ〜２５ｃ、低圧ガス管電磁弁２６ａ〜２６ｃは開状態となっており、低圧ガス管７へと冷媒が通過する。
低圧ガス管７を通過した冷媒は、室外ユニット２に戻り、圧縮機１１へと吸込まれる。
【００２３】
次に、室内ユニット３ａ〜３ｃの全てを暖房運転する場合について説明する。
図２は、本発明の実施形態に係る暖房運転時の空気調和装置１の冷媒回路図である。
室内ユニット３ａ〜３ｃの全てを暖房運転する場合には、図２に示す四方弁１３は実線で示す位置に切り替えられる。開閉弁１７は閉じられる。高圧ガス管電磁弁２４ａ〜２４ｃは開かれる。
圧縮機１１から吐出された高温高圧のガス冷媒は、オイルセパレータ１２により冷凍機油が分離された後、高圧ガス管６、電磁弁キット４ａ〜４ｃへと導かれる。
高圧ガス管電磁弁２４ａ〜２４ｃは開状態となっており、室内ユニット３ａ〜３ｃへ高温高圧のガス冷媒が供給される。
【００２４】
このとき、流量調整手段２３ａ〜２３ｃは合流後の冷媒の吐出過熱度が所定の値となるように制御される。
吐出過熱度が所定の値以上となっている場合は流量調整手段２３ａ〜２３ｃが全閉となり、バイパス手段２１ａ〜２１ｃに冷媒が流れないよう制御される。
吐出過熱度が所定の値以下となっている場合は流量調整手段２３ａ〜２３ｃが開かれ、内部熱交換手段２２ａ〜２２ｃに冷媒が流れ、配管３５ａ〜３５ｃを流れる冷媒が冷媒加熱される。内部熱交換手段２２ａ〜２２ｃで熱交換した冷媒は、液管８を流れる冷媒と合流する。
【００２５】
吐出過熱度が所定の値となるよう制御することにより、高圧ガス管電磁弁２４ａ〜２４ｃの圧力損失が大きく温度低下が大きいような場合は、内部熱交換手段２２ａ〜２２ｃにより温度が回復するため、室内熱交換器３１ａ〜３１ｃに流入する冷媒の温度が高くなり、暖房性能の低下を抑制することができる。
また、吐出過熱度が所定の値以上となっている場合は流量調整手段２３ａ〜２３ｃが全閉となり、バイパス手段２１ａ〜２１ｃに冷媒が流れないよう制御することにより、室内熱交換器３１ａ〜３１ｃをバイパスすることによる暖房性能の低下を回避することができる。
【００２６】
室内ユニット３ａ〜３ｃに導かれた冷媒は、室内熱交換器３１ａ〜３１ｃで凝縮することにより室内を暖房する。このとき、室内膨張弁３２ａ〜３２ｃは室内熱交換器出口における冷媒の過冷却度が設定値になるよう制御される。
室内ユニット３ａ〜３ｃを通過した高圧液冷媒は電磁弁キット４ａ〜４ｃ、液管８を通過した後、室外ユニット２へと流入する。室外膨張弁１５により低圧低温の気液二相状態となった冷媒は室外熱交換器１４により外気から吸熱して蒸発して低圧ガス冷媒となり、四方弁１３を通過した後、圧縮機１１に吸込まれる。
【００２７】
次に、室内ユニット３ａ〜３ｃごとに冷房運転と暖房運転とを個別に行う冷暖同時運転（室外熱交換器を凝縮器として利用）について説明する。
図３は、本発明の実施形態に係る室外熱交換器を凝縮器として利用した場合の冷暖同時運転時の空気調和装置１の冷媒回路図である。図３では、室内ユニット３ａ、３ｃが冷房運転、室内ユニット３ｂが暖房運転とされている。
室外熱交換器１４を凝縮器として利用する場合、図３に示す四方弁１３は実線で示す位置に切り替えられる。
【００２８】
まず、冷房運転される室内ユニット３ａ、３ｃについて説明する。
圧縮機１１から吐出された高温高圧のガス冷媒はオイルセパレータ１２により冷凍機油が分離された後、一方は四方弁１３を通過し室外熱交換器１４へと流入し、他方は高圧ガス管６へと導かれる。室外熱交換器１４に流入した冷媒は室外熱交換器１４により外気に放熱して凝縮し、高圧液冷媒となってから室外膨張弁１５を通過した後、室外ユニット２と室内ユニット３ａ〜３ｃとを接続する液管８へと導かれる。
このとき、室外膨張弁１５は室外熱交換器１４出口の冷媒の過冷却度が所定の値となるように制御される。
【００２９】
液管８の高圧液冷媒は冷房運転を実施している室内ユニット３ａ、３ｃに導かれる。液管８により高圧液冷媒は電磁弁キット４ａ、４ｃに流入する。このとき、高圧ガス管電磁弁２４ａ、２４ｃは閉状態となっており、高圧ガス管６を流れる冷媒はバイパス手段２１ａ、２１ｃに導かれ、内部熱交換手段２２ａ、２２ｃを通過する。このとき、バイパス手段２１ａ、２１ｃを流れる冷媒は、室内ユニット３ａ、３ｃから配管３５ａ、３５ｃに導かれ内部熱交換手段２２ａ、２２ｃを通過する冷媒と、熱交換を行う。
【００３０】
内部熱交換手段２２ａ〜２２ｃを通過したバイパス手段２１ａ〜２１ｃを流れる冷媒は、流量調整手段２３ａ〜２３ｃを通過した後、液管８を流れる冷媒と合流する。
このとき、流量調整手段２３ａ〜２３ｃは合流後の冷媒の過冷却度が所定の値となるように制御される。
また、冷暖同時運転では冷媒配管を全て使用し、冷媒の寝込みが発生しないため、過冷却度が所定の値以上となる場合は室外ユニットからの信号を受け全閉となり、バイパス手段２１ａ、２１ｃに冷媒が流れないよう制御される。
【００３１】
電磁弁キット４ａ、４ｃを通過した冷媒は、室内ユニット３ａ、３ｃに導かれ、室内膨張弁３２ａ、３２ｃにより低圧低温の気液二相となった冷媒は室内熱交換器３１ａ、３１ｃで蒸発することにより室内を冷房する。室内熱交換器３１ａ、３１ｃにより低圧ガス状態となった冷媒は電磁弁キット４ａ、４ｃに流入する。このとき、バランス管電磁弁２５ａ、２５ｃ、低圧ガス管電磁弁２６ａ、２６ｃは開状態となっており、低圧ガス管７へと冷媒が通過する。低圧ガス管７を通過した冷媒は室外ユニット２に戻り、圧縮機１１へと吸込まれる。
【００３２】
次に、暖房運転される室内ユニット３ｂについて説明する。
圧縮機１１から高圧ガス管６へ導かれた冷媒は、電磁弁キット４ｂへと導かれる。高圧ガス管電磁弁２４ｂは開状態となっており、室内ユニット３ｂへ高温高圧のガス冷媒が供給される。このとき、電磁弁キット４ｂに流入した冷媒の一部はバイパス手段２１ｂに導かれ、高圧ガス管電磁弁２４ｂを通過する冷媒と内部熱交換手段２２ｂにより熱交換した後、流量調整手段２３ｂを通過してから液管８を流れる冷媒と合流する。このとき、流量調整手段２３ｂは合流後の冷媒の吐出過熱度が所定の値となるように制御される。
【００３３】
室内ユニット３ｂに導かれた冷媒は、室内熱交換器３１ｂで凝縮することにより室内を暖房する。このとき、室内膨張弁３２ｂは室内熱交換器出口における冷媒の過冷却度が設定値になるよう制御される。室内ユニット３ｂを通過した高圧液冷媒は電磁弁キット４ｂを通過した後、液管８に合流する。
【００３４】
また、吐出過熱度が所定の値以上となっている場合は全閉となり、バイパス手段２１ｂに冷媒が流れないよう制御される。吐出過熱度が所定の値となるよう制御することにより、高圧ガス管電磁弁２４ｂの圧力損失が大きく、温度低下が大きいような場合は、内部熱交換手段２２ｂにより温度が回復するため、室内熱交換器３１ｂに流入する冷媒の温度が高くなり、暖房性能の低下を抑制することができる。また、吐出過熱度が所定の値以上となっている場合は全閉となり、バイパス手段２１ｂに冷媒が流れないよう制御することにより、室内ユニット３ｂの室内熱交換器３１ｂをバイパスすることによる暖房性能の低下を回避することができる。
【００３５】
以上説明したように、本実施の形態によれば、次の効果を生じる。
すなわち、室内ユニット３ａ〜３ｃの一端が液管８から分岐した液分岐管２９ａ〜２９ｃに接続され、他端が高圧ガス管６から分岐した高圧側ガス分岐管２７ａ〜２７ｃまたは低圧ガス管７から分岐した低圧側ガス分岐管２８ａ〜２８ｃに接続され、高圧側ガス分岐管２７ａ〜２７ｃに高圧ガス管電磁弁２４ａ〜２４ｃが接続され、一端が暖房運転時の高圧ガス管電磁弁２４ａ〜２４ｃの上流に接続され、他端が液分岐管２９ａ〜２９ｃに接続されたバイパス手段２１ａ〜２１ｃを設け、バイパス手段２１ａ〜２１ｃは流量調整手段２３ａ〜２３ｃを備え、流量調整手段２３ａ〜２３ｃの上流のバイパス手段２１ａ〜２１ｃと低圧側ガス分岐管２８ａ〜２８ｃとの間に、内部熱交換手段２２ａ〜２２ｃを設けた。
この構成によれば、室内ユニット３ａ〜３ｃの全てを冷房運転する場合、内部熱交換手段２２ａ〜２２ｃにより高圧ガス管６から液管８に取り込まれる冷媒の温度が低下するため、液管８と合流後の冷媒の温度も低下し、過冷却度が大きくなるため冷房能力の低下を抑制することができる。
また、室内ユニット３ａ〜３ｃの全てを冷房運転する場合に未使用となる高圧ガス管６に冷媒が流れることにより、高圧ガス管６内に寝込む冷媒を液管８に戻すことが可能となり、システム内の冷媒量が不足し、ガス欠状態となることを防止することができる。
また、起動直後やオイル回収運転を実施した直後、直前まで暖房運転をしていた場合など、高圧ガス管６への冷媒の寝込みが少ない時は室外ユニット２からの信号を受け流量調整手段２３ａ〜２３ｃを全閉とするため、室外ユニット２の室外熱交換器１４をバイパスすることによる冷房性能低下を回避することができる。
【００３６】
また、本実施の形態によれば、内部熱交換手段２２ａ〜２２ｃは、電磁弁キット４ａ〜４ｃに配置され、この電磁弁キット４ａ〜４ｃは、室内ユニット３ａ〜３ｃの近くに配置されている。
室内ユニット３ａ〜３ｃの近くに内部熱交換手段２２ａ〜２２ｃを配置することで、室内ユニット３ａ〜３ｃに近い位置で過冷却度が所定の値となるように制御することができる。室外ユニット２で過冷却度が所定の値となるように制御するよりも、例えば室外ユニット２と室内ユニット３ａ〜３ｃの接続配管において外部環境への放熱や受熱など、外部環境の熱影響が小さくなるため、安定して冷房能力を確保することが可能となる。
また、電磁弁キット４ａ〜４ｃに内部熱交換手段２２ａ〜２２ｃを配置するため、内部熱交換手段２２ａ〜２２ｃを室外ユニット２、室内ユニット３ａ〜３ｃと別アプリの電磁弁キット４ａ〜４ｃとして取り外しが可能となる。
また、電磁弁キット４ａ〜４ｃの取り付けのみで内部熱交換手段２２ａ〜２２ｃを取付できる。
【００３７】
また、本実施の形態によれば、内部熱交換手段２２ａ〜２２ｃは内管と外管とを二重管で構成した二重管式熱交換器で形成され、内管には室内熱交換器３１ａ〜３１ｃおよび低圧ガス管７をつなぐ配管３５が接続され、外管にはバイパス手段２１ａ〜２１ｃが接続される。
内部熱交換手段２２ａ〜２２ｃを二重管で構成したため、構成を簡略化でき、コストの削減を図ることができる。
【００３８】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００３９】
１  空気調和装置
２  室外ユニット
３ａ、３ｂ、３ｃ  室内ユニット
４ａ、４ｂ、４ｃ  電磁弁キット
５  ユニット間配管
６  高圧ガス管
７  低圧ガス管
８  液管
９ａ、９ｂ、９ｃ  高圧ガス管分岐点
１１  圧縮機
１２  オイルセパレータ
１３  四方弁
１４  室外熱交換器（熱源側熱交換器）
１５  室外膨張弁（減圧装置）
１７  開閉弁
２１ａ、２１ｂ、２１ｃ  バイパス手段２１
２２ａ、２１ｂ、２２ｃ  内部熱交換手段
２３ａ、２３ｂ、２３ｃ  流量調整手段
２４ａ、２４ｂ、２４ｃ  高圧ガス管電磁弁
２５ａ、２５ｂ、２５ｃ  バランス管電磁弁
２６ａ、２６ｂ、２６ｃ  低圧ガス管電磁弁
２７ａ、２７ｂ、２７ｃ  高圧側ガス分岐管
２８ａ、２８ｂ、２８ｃ  低圧側ガス分岐管
２９ａ、２９ｂ、２９ｃ  液分岐管
３１ａ、３１ｂ、３１ｃ  室内熱交換器（利用側熱交換器）
３２ａ、３２ｂ、３２ｃ  室内膨張弁
３５ａ、３５ｂ、３５ｃ  配管
【図１】
2018071791.tif 000003
【図２】
2018071791.tif 000004
【図３】
2018071791.tif 000005